(57)【要約】【課題】一つの用具でカニの身を潰すことなくカニの足を切断でき、カニの身を取り出しやすい用具を開発すること。【解決手段】二つの本体２，３からなり、本体２はその先端をフォーク状２ａに形成し、他端には二枚の板材からなる結合部２ｂ、２ｃを設け、本体３はその先端をスプーン状３ａに形成し、他端には本体２の二枚の板材の間に挿入できる一枚の板材からなる被結合部３ｂを設けたカニ食用具であって、本体２の結合部２ｂ、２ｃである二枚の板材を結合部材４で連結し、本体３の被結合部３ｂである一枚の板材に結合溝３ｄを設け、結合部材４が結合溝３ｄを移動できるように構成するとともに、本体３の被結合部３ｂにはその中央に、カニの足５ａが挿入できる穴６を設け、その穴６にはカニの足５ａを処理するための切断部３ｃを設けた構成である。【選択図】図１
2013022062.tif 000002
【特許請求の範囲】
【請求項１】
二つの本体Ａ，Ｂからなり、本体Ａはその先端をフォーク状に形成し、他端には重なり合う二枚の板材からなる結合部を設け、本体Ｂはその先端をスプーン状に形成し、他端には本体Ａの二枚の板材の間に挿入できる一枚の板材からなる被結合部を設けたカニ食用具であって、本体Ａの結合部である二枚の板材を結合部材で連結し、本体Ｂの被結合部である一枚の板材に被結合部の先端から板材の縁に沿って結合溝を設け、結合部材が結合溝を移動できるように構成するとともに、本体Ｂの被結合部にはその中央に、カニの足が挿入できる穴を設け、その穴にはカニの足を処理するための切断部を設けたことを特徴とするカニ食用具。
【請求項２】
結合部材が結合溝の両端において固定される固定手段を設けたことを特徴とする請求項１に記載のカニ食用具。
【発明の詳細な説明】
【技術分野】
【０００１】
本発明はカニを食べる時に使用するカニ食用具に関するものである。
【背景技術】
【０００２】
これまでのカニ食用具は、例えば特開２０００−１８５１８２号公報に記載されているカニ食用具のようにカニを切る目的のハサミや、例えば特開２０００−１８９３３２号公報に記載されているカニ食用具のようにカニの身を取り出す目的のカニフォークがあり、いままではこれらのカニ食用具を個別に使用していた。
【０００３】
このような個別の使用は手間がかかるので、カニを切るハサミの役割とカニの身を取り出すフォークの役割を備えた特開２００４−３２１５９０号公報や特開２００５−３１２８４６号公報に記載されているようなカニ食用具の構成が考案されている。特開２００４−３２１５９０号公報のカニ食用具は、一般に使用されているカニフォークの中心に穴を設け、その穴にカニを挿入してカニの殻を折り離すカニ食用具であって、カニによっては殻を折り離すことができない構成になっている。また、特開２００５−３１２８４６号公報のカニ食用具は、カニを切るためのハサミにカニの身を取り出すフォークのようなものが付加されているカニ食用具であって、ハサミの役割の部分がむき出しのままカニを食す構成になっている。    
【先行技術文献】
【特許文献】
【０００４】
【特許文献１】特開２０００−１８５１８２号公報
【特許文献２】特開２０００−１８９３３２号公報
【特許文献３】特開２００４−３２１５９０号公報
【特許文献４】特開２００５−３１２８４６号公報
【発明の概要】
【発明が解決しようとする課題】
【０００５】
この特許文献３の特開２００４−３２１５９０号公報に記載されているカニ食用具では脱皮回数の少ないカニでは殻を折り離すことができずに殻を潰してしまい、さらに、カニの身を潰してしまう懸念がある。また、特許文献４の特開２００５−３１２８４６号公報に記載されているカニ食用具では、むき出しのハサミを保護するものが無くカニを食すときに危険を伴うという懸念がある。
【０００６】
そこで、本発明者は二つの用具の持ち換える手間を省き、従来のカニ食用具の機能を備えた安全なカニ食用具はできないか考えた。
【課題を解決するための手段】
【０００７】
本発明のカニ食用具は二つの本体Ａ，Ｂからなり、本体Ａはその先端をフォーク状に形成し、他端には重なり合う二枚の板材からなる結合部を設け、本体Ｂはその先端をスプーン状に形成し、他端には本体Ａの二枚の板材の間に挿入できる一枚の板材からなる被結合部を設けたカニ食用具であって、本体Ａの結合部である二枚の板材を結合部材で連結し、本体Ｂの被結合部である一枚の板材に被結合部の先端から板材の縁に沿って結合溝を設け、結合部材が結合溝を移動できるように構成するとともに、本体Ｂの被結合部にはその中央に、カニの足が挿入できる穴を設け、その穴にはカニの足を処理するための切断部を設けたことを特徴とする。
【０００８】
また、結合部材が結合溝の両端において固定される固定手段を設けたことを特徴とする。
【発明の効果】
【０００９】
本発明のカニ食用具は、結合部材を結合溝で移動させて、本体Ａと本体Ｂを直列にすることにより、本体Ａと本体Ｂの先端を使用して従来のカニフォークとしてカニを食すことができ、結合部材を結合溝で移動させて、本体Ａの結合部と本体Ｂの被結合部に設けた切断部とでハサミを形成することにより、カニの足を切断でき、カニの身を取り出しやすいようにカニの殻を削ぐことができる。つまり、本発明のカニ食用具は一つの用具でカニを食用するために必要な用具の機能を使用することができるものである。
【００１０】
また、本発明のカニ食用具は、子供や高齢者でも安全に使用できるものである。つまり、被結合部の穴の部分に切断部を設けているので、切断部に直接指等が当たる可能性を極力少なくして安全に使用できるし、被結合部の穴の部分に設けられた切断部は本体Ａと本体Ｂとを直列にした時には結合部に隠される状態となり、直列の状態で安全にカニ食用具を使用することができ、さらに、本体Ａと本体Ｂとをハサミとして使用する時には被結合部の穴の部分に切断部が設けられているので、この場合にも安全に使用することができる。
【００１１】
さらに、結合部材が結合溝の両端において固定される固定手段を設けたことにより、本体Ａと本体Ｂを直列に使用する場合もハサミとして使用する場合にも本体同士を確実に固定して使用することができるので、安全にカニ食用具使うことができる。
【図面の簡単な説明】
【００１２】
【図１】本発明のカニ食用具の全体図。
【図２】全体の側面図。
【図３】本体Ａの斜視図。
【図４】本体Ａの断面図。
【図５】本体Ｂの斜視図。
【図６】本体Ｂの被結合部の拡大図。
【図７】全体の平面図。
【図８】カニの本体から足を切断する図面。
【図９】カニの足を食べやすく切断する図面。
【図１０】カニの足の殻を削ぐ図面。
【発明を実施するための形態】
【００１３】
以下本発明にかかるカニ食用具について図１から図９に基づいて説明する。
【００１４】
本発明のカニ食用具１は図１、図２に図示されているように、本体２と本体３の２つの本体で構成されている。本体２はフォーク２ａ、結合部２ｂ、結合部２ｃ、握り部２ｇで構成され、本体３はスプーン３ａ、被結合部３ｂ、握り部３ｇで構成されている。
【００１５】
まず、本体２の構成について図３、図４を用いて説明する。図３の本体２は一端に一般的なカニ食用具に採用されている形状のフォーク２ａを設けている。他端には二枚の重なり合う板状の結合部２ｂ、結合部２ｃを設けて、握り部２ｇで連結されている。本体２の二枚の板状の結合部２ｂ、結合部２ｃで本体３の被結合部３ｂが挿入できる空間である収納部２ｆを設けている。収納部２ｆは本体３の被結合部３ｂの移動の妨げにならない長さに設けている。結合部２ｂと結合部２ｃの向かい合う面の一端には本体２、本体３を直列して使用する時に、より安全に使用するために、被結合部３に設けた固定部３ｄ−２に固定する凸部の安定手段である安定部材２ｄ−１を設けている。握り部２ｇは、ハサミとして使用する時にフォーク２ａとして使用する際の妨げにならない位置に指を入れられる形状を設けている。図４には図３のＡからＢの切断部分が図示されている。結合部２ｂ、結合部２ｃにはこれら結合部と握り部２ｇの交わる付近にそれぞれ結合穴２ｄ−２を設け、それぞれの結合穴２ｄ−２に結合部材４を通す構成である。
【００１６】
次に、本体３の構成について図５、図６を用いて説明する。図５の本体３は一端に一般的なカニ食用具に採用されている形状のスプーン３ａを設けている。他端には一枚の板状の被結合部３ｂを設け握り部３ｇで連結されている。握り部３ｇは、ハサミとして使用する時にスプーン３ａとして使用する際の妨げにならない位置に指を入れられる形状を設けている。図６に図示されているように、被結合部３ｂはその中央にカニの足が挿入できる穴６を設けている。穴６にはカニの足を処理するための切断部３ｃを設けている。また、被結合部３ｂの先端から握り部３ｇにかけて被結合部３ｂの縁に沿って結合溝３を設けている。結合溝３の両端は結合部材４を固定するために結合溝３の幅を狭くしているので固定部３ｄ−１、固定部３ｄ−２において結合部材４が固定される。
【００１７】
本体２と本体３の結合の構成は図２、図７に図示されているように、本体２に設けた結合部２ｂ、結合部２ｃの間に設けた収納部２ｆに本体３に設けた被結合部３ｂを直列にはめ込み、本体２に設けた結合部２ｂ、結合部２ｃのそれぞれの結合穴２ｄ−２と本体３に設けた結合溝３ｄに結合部材４を通し固定して移動可能に組み立てられている。本体２と本体３を直列にした時、本体２に設けた安定部材２ｄ−１が本体３に設けた固定部３ｄ−２にはめ込まれ、結合部材４が本体３に設けられた固定部３ｄ−１に固定され、カニを食すフォークとして安全に使用することができる。
【００１８】
次にカニ食用具をカニの足５ａの切断に使用する時の構成を図８により説明すると、本体２に設けた安定部材２ｄ−１を本体３に設けた固定部３ｄ−２から外し、結合部材４を本体３に設けた固定部３ｄ−１から外して、本体３に設けた被結合部３ｂを本体２の収納部２ｆから引き出し、結合部材４を本体３に設けた結合溝３ｄをかいして固定部３ｄ−２まで移動させて固定しハサミにして、被結合部３ｂの穴６にカニの足５ａを差し入れ、被結合部３ｂに設けた切断部３ｃにカニの関節５ｂを当てがい本体２の握り部２ｇと本体３の握り部３ｇを引き寄せて切断させる。
【００１９】
その後、図９に図示されているように切断したカニの関節５ｂとは反対の関節からカニの足５ａの先を軟骨ごと引き抜き、その関節付近を切断して本体２に設けたフォーク２ａを差し入れてカニの身を押出してもよい。
【００２０】
あるいは、図１０に図示されているように、被結合部３ｂの穴６にカニの足５ａの上部を差し入れ、本体２の握り部２ｇと本体３の握り部３ｇを引き寄せてカニの殻５ｃの上面に切断部３ｃを食い込ませた状態でカニの足５ａを滑らせるように移動して、カニの殻５ｃを削いで身を出しやすくしてもよい。
【００２１】
本体２の結合部２ｂ、結合部２ｃに設けた安定手段の安定部材２ｄ−１とは別の安定手段を図３、図５、図６、図７で説明すると、図３に図示されているように、本体２の結合部２ｂ、結合部２ｃの最先端より少しズレた位置に、本体３の握り部３ｇの先端に設けた留部３ｅにはめ込む留部材２ｅを設けている。留部材２ｅは結合部２ｂの一端と結合部２ｃの一端に連結されている。また、図５、図６に図示されているように、本体３の被結合部３ｂと握り部３ｇの交わる握り部３ｇの一端に本体２に設けた留部材２ｅをはめ込む留部３ｅを設けている。なお、握り部２ｇ、握り部３ｇは、実施例では握り部２ｇ、握り部３ｇに穴を設けて指を入れられる構成を採用しているが、それ以外の構成、例えば、収縮性のベルトを握り部２ｇ、握り部３ｇから突出させたり収納させたりして指を入れられる構成としてもよく、本体Ａ、本体Ｂを直列に使用する時に邪魔にならずにハサミとして使用する時に使いやすい構成であればよく、特に限定するものではない。
【００２２】
図７に図示されているように、本体２に設けた留部材２ｅを本体３に設けた留部３ｅにはめ込み直列に固定すればカニを食すフォークとして安全に使用することができる。
【００２３】
本体２、本体３の素材においては、プラスチック、鉄、ステンレス、アルミなどの繰り返し洗えて強度のあるものが理想であるが場合によっては素材を混合してもよく特に限定するものではない。
【００２４】
本体２、本体３の大きさ、長さ、高さ、幅、形、デザイン、色などはカニを切断でき、殻を削げ、食用具としての機能を最大限に活用できる構成であればよく特に限定するものではない。
【００２５】
本体２、本体３の結合は安全に被結合部３ｂが収納できスムーズに出し入れでき、固定でき、強度があり、壊れにくい構成であればよく、特に限定するものではない。
【００２６】
切断部３ｃの形状、幅、大きさ、長さ、厚さはカニの足５ａを切断でき、カニの足５ａからカニの殻５ｃを食べやすく削げ、強度があり、壊れにくい構成であればよく、特に限定するものではない。
【００２７】
結合溝３ｄの形状、幅、長さ、位置は結合部材４の移動が自在にでき、結合部２ｂ、結合部２ｃと被結合部３ｂの機能を最大限に活用できる構成であればよく、特に限定するものではない。
【００２８】
固定手段の結合部材４と固定部３ｄ−１、固定部３ｄ−２または、安定手段の安定部材２ｄ−１と固定部３ｄ−２の構成は本体２、本体３を直列に使用する時に結合部２ｂ、結合部２ｃから被結合部３ｂが容易に外れることがなく、また、被結合部３ｂに設けた切断部３ｃを使用する時は容易に外すことができる構成であればよく、特に限定するものではない。また、安定部材２ｄ−１の形状、大きさ、厚さ、位置は固定部３ｄ−２に固定することができ、結合部２ｂと結合部２ｃに設けた収納部２ｆを保持する構成であればよく特に限定するものではない。
【００２９】
留部材２ｅと留部３ｅの形状、大きさ、厚さ、位置、構成は本体２、本体３を直列に使用する時に結合部２ｂ、結合部２ｃから被結合部３ｂが容易に外れることがなく、また、被結合部３ｂに設けた切断部３ｃを使用する時は容易に外すことができる構成であればよく、特に限定するものではない。また、結合部２ｂと結合部２ｃに設けた収納部２ｆを保持する構成であればよく特に限定するものではない。
【００３０】
握り部２ｇ、握り部３ｇの形状、幅、大きさ、長さ、厚さ、位置は、ハサミとして使用するとき、およびカニフォークとして使用する時に安全で、邪魔にならずに使いやすく、強度があり、壊れにくい構成であればよく、特に限定するものではない。
【符号の説明】
【００３１】
１              カニ食用具
２              本体
２ａ             フォーク
２ｂ            結合部
２ｃ            結合部
２ｄ−１       安定部材
２ｄ−２       結合穴
２ｅ            留部材
２ｆ             収納部
２ｇ           握り部
３             本体
３ａ           スプーン
３ｂ           被結合部
３ｃ           切断部
３ｄ           結合溝
３ｄ−１      固定部
３ｄ−２      固定部
３ｅ           留部
３ｇ           握り部
４             結合部材
５             カニ
５ａ           カニの足
５ｂ           カニの関節
５ｃ           カニの殻
６             穴
【図１】
2013022062.tif 000003
【図２】
2013022062.tif 000004
【図３】
2013022062.tif 000005
【図４】
2013022062.tif 000006
【図５】
2013022062.tif 000007
【図６】
2013022062.tif 000008
【図７】
2013022062.tif 000009
【図８】
2013022062.tif 000010
【図９】
2013022062.tif 000011
【図１０】
2013022062.tif 000012